(57)【要約】【課題】簡易な構成で階調表示する。【解決手段】情報表示層２３を介して互いに対向する透明電極２２と表示電極１１に対して、表示電極１１をＧＮＤ電位とした状態で、透明電極２２の一方の端辺に＋１５Ｖを印加するとともに、透明電極２２の他方の端辺に−１５Ｖを印加する。【選択図】図２
2018163220.tif 000002
【特許請求の範囲】
【請求項１】
ベース基材と、
前記ベース基材の一方の面に形成された少なくとも１つの表示電極と、
前記ベース基材の前記表示電極が形成された面に対向して配置された透明電極と、
前記ベース基材と前記透明電極との間に配置され、前記表示電極と前記透明電極との間の電位差によって情報を可変表示する情報表示層とを有し、
前記表示電極と前記透明電極とのうち一方の電極は、第１の電圧と該第１の電圧とは異なる第２の電圧とが、１つの電極の互いに異なる領域に同時に印加され、
前記表示電極と前記透明電極とのうち他方の電極は、前記第１の電圧と前記第２の電圧との間の第３の電圧が印加されている、情報表示媒体。
【請求項２】
ベース基材と、前記ベース基材の一方の面に形成された少なくとも１つの表示電極と、前記ベース基材の前記表示電極が形成された面に対向して配置された透明電極と、前記ベース基材と前記透明電極との間に配置され、前記表示電極と前記透明電極との間の電位差によって情報を可変表示する情報表示層とを有する情報表示媒体の駆動方法であって、
前記表示電極と前記透明電極とのうち一方の電極に、第１の電圧と該第１の電圧とは異なる第２の電圧とを、１つの電極の互いに異なる領域にて同時に印加するとともに、
前記表示電極と前記透明電極とのうち他方の電極に、前記第１の電圧と前記第２の電圧との間の第３の電圧を印加する、情報表示媒体の駆動方法。
【発明の詳細な説明】
【技術分野】
【０００１】
本発明は、情報を可変表示する情報表示媒体に関し、特に、階調表示を実現する技術に関する。
【背景技術】
【０００２】
従来、情報を表示する表示装置として、ＣＲＴディスプレイや液晶ディスプレイ、プラズマディスプレイ等が用いられている。これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。また、上述したような表示装置に加えて、紙のように薄い薄型の情報表示媒体が普及している。このような情報表示媒体は、一方の面に表示電極が形成された電極基板と、一方の面の全面に透明電極が設けられた透明基板とが情報表示層を介して積層されて構成されており、表示電極と透明電極との間の電位差によって情報表示層にて情報が可変表示される。
【０００３】
図５は、一般的な情報表示媒体の一例を示す図であり、（ａ）は表面図、（ｂ）は（ａ）に示したＡ−Ａ’断面図、（ｃ）は情報表示層２２３の構成を示す断面図である。
【０００４】
本例は図５に示すように、一方の面に表示電極２１１ａ〜２１１ｇ，２１２ａ〜２１２ｇが形成されたベース基材２１０と、ベース基材２１０の表示電極２１１ａ〜２１１ｇ，２１２ａ〜２１２ｇが形成された面上に積層された情報表示部２２０とから構成され、情報表示部２２０が接着剤２４０によってベース基材２１０に接着されて構成されている。
【０００５】
表示電極２１１ａ〜２１１ｇ，２１２ａ〜２１２ｇは、情報表示部２２０を用いて表示する情報に応じてセグメント形状に形成されている。また、これら表示電極２１１ａ〜２１１ｇ，２１２ａ〜２１２ｇのそれぞれには、表示電極２１１ａ〜２１１ｇ，２１２ａ〜２１２ｇに電気信号を伝達することで電圧を印加するための配線（不図示）が接続されている。
【０００６】
情報表示部２２０は、透明基材２２１と透明電極２２２と情報表示層２２３とが積層されて構成され、表示電極２１１ａ〜２１１ｇ，２１２ａ〜２１２ｇを覆うように、情報表示層２２３側を積層面としてベース基材２１０上に積層されている。
【０００７】
情報表示層２２３は、図５（ｃ）に示すように、隔壁２２３ｄで囲まれた領域に、マイナス電位に帯電し、黒色からなる帯電性粒子２２３ａと、プラス電位に帯電し、白色からなる帯電性粒子２２３ｂとが分散した隔壁内液体２２３ｃが収容されて構成されている。
【０００８】
上記のように構成された情報表示媒体２０１においては、透明電極２２２及び表示電極２１１ａ〜２１１ｇ，２１２ａ〜２１２ｇに接続されたコントローラー（不図示）により、透明電極２２２に所定の電圧が印加された状態で、表示する情報に応じて表示電極２１１ａ〜２１１ｇ，２１２ａ〜２１２ｇに２種類の電圧が選択的に印加されることによって、情報表示層２２３に透明電極２２２と表示電極２１１ａ〜２１１ｇ，２１２ａ〜２１２ｇとの間の電位差による電位が付与される。すると、帯電性粒子２２３ａ，２２３ｂが、付与された電位に応じて、透明電極２２２側あるいは表示電極２１１ａ〜２１１ｇ，２１２ａ〜２１２ｇ側に隔壁内液体２２３ｃ内を移動し、帯電性粒子２２３ａが黒色からなり、帯電性粒子２２３ｂが白色からなるものであることから、帯電性粒子２２３ａが透明電極２２２側に移動した領域と、帯電性粒子２２３ｂが透明電極２２２側に移動した領域とで、透明基材２２１側から視認される色が異なることとなり、それにより、“００”〜“９９”の情報が表示されることとなる。
【０００９】
例えば、透明電極２２２がＧＮＤ電位とされた状態で、表示電極２１１ａ，２１１ｄ，２１２ａ，２１２ｆにプラスの電位が印加され、表示電極２１１ｂ，２１１ｃ，２１１ｅ〜２１１ｇ，２１２ｂ〜２１２ｅ，２１２ｇにマイナスの電位が印加されると、帯電性粒子２２３ａがマイナス電位に帯電しているとともに、帯電性粒子２２３ｂがプラス電位に帯電していることから、表示電極２１１ｂ，２１１ｃ，２１１ｅ〜２１１ｇ，２１２ｂ〜２１２ｅ，２１２ｇに対向している領域においては、帯電性粒子２２３ａが透明電極２２２側に移動するとともに、帯電性粒子２２３ｂが表示電極２１１ｂ，２１１ｃ，２１１ｅ〜２１１ｇ，２１２ｂ〜２１２ｅ，２１２ｇ側に移動し、また、表示電極２１１ａ，２１１ｄ，２１２ａ，２１２ｆに対向している領域においては、帯電性粒子２２３ｂが透明電極２２２側に移動するとともに、帯電性粒子２２３ａが表示電極２１１ａ，２１１ｄ，２１２ａ，２１２ｆ側に移動し、透明基材２２１側から視認した場合に、帯電性粒子２２３ａの黒色によって、“２３”が表示されることとなる。
【００１０】
上述したような情報表示媒体２０１においては、透明電極２２２に所定の電圧を印加した状態で、表示電極２１１ａ〜２１１ｇ，２１２ａ〜２１２ｇに２種類の電圧が選択的に印加することによって、情報表示層２２３の状態を変化させて情報を表示しているため、表示される階調（色調）が２値しかなく、濃淡等を多段階の階調により表現することができない。
【００１１】
ここで、複数の画素電極によって個々のピクセルを構成し、複数の画素電極のそれぞれに独立に電圧を印加することで、階調表示を可能とした表示装置が特許文献１に開示されている。この技術を採用することで、濃淡等を多段階の階調により表現することができるようになる。
【先行技術文献】
【特許文献】
【００１２】
【特許文献１】特開２００６−２４３３６４号公報
【発明の概要】
【発明が解決しようとする課題】
【００１３】
しかしながら、特許文献１に開示された技術においては、個々のピクセル毎に複数の画素電極を設ける必要があるため、微細な電極形成が困難となるとともに、複数の画素電極を個別に制御するためのコントローラやソフトウェアが必須となり、その構成及び処理が煩雑になってしまうという問題点がある。
【００１４】
本発明は、上述したような従来の技術が有する問題点に鑑みてなされたものであって、簡易な構成で階調表示することができる情報表示媒体及びその駆動方法を提供することを目的とする。
【課題を解決するための手段】
【００１５】
上記目的を達成するために本発明は、
ベース基材と、
前記ベース基材の一方の面に形成された少なくとも１つの表示電極と、
前記ベース基材の前記表示電極が形成された面に対向して配置された透明電極と、
前記ベース基材と前記透明電極との間に配置され、前記表示電極と前記透明電極との間の電位差によって情報を可変表示する情報表示層とを有し、
前記表示電極と前記透明電極とのうち一方の電極は、第１の電圧と該第１の電圧とは異なる第２の電圧とが、１つの電極の互いに異なる領域に同時に印加され、
前記表示電極と前記透明電極とのうち他方の電極は、前記第１の電圧と前記第２の電圧との間の第３の電圧が印加されている。
【００１６】
上記のように構成された本発明においては、表示電極と透明電極とのうち一方の電極に、第１の電圧と第１の電圧とは異なる第２の電圧とが、互いに異なる領域にて同時に印加されるとともに、表示電極と透明電極とのうち他方の電極に、第１の電圧と第２の電圧との間の第３の電圧が印加されると、情報表示層のうち、一方の電極の第１の電圧が印加された領域に対向する部分と、第２の電圧が印加された領域に対向する部分とでは、表示電極と透明電極との間の電位差が互いに異なることでその状態が互いに異なるものとなり、視認される色が互いに異なるものとなる。またその際、一方の電極においては、第１の電圧が印加された領域から第２の電圧が印加された領域までの間において、その電圧が第１の電圧から第２の電圧まで連続的に変化するので、表示電極と透明電極との間の電位差も、第１の電圧が印加された領域から第２の電圧が印加された領域までの間にて連続的に変化し、それにより、階調表示が可能となる。
【００１７】
このように、表示電極と透明電極とのうち一方の電極に、第１の電圧と第１の電圧とは異なる第２の電圧とを、互いに異なる領域にて同時に印加するとともに、表示電極と透明電極とのうち他方の電極に、第１の電圧と第２の電圧との間の第３の電圧を印加するという簡易な構成で、階調表示が可能となる。
【発明の効果】
【００１８】
本発明によれば、表示電極と透明電極とのうち一方の電極に、第１の電圧と第１の電圧とは異なる第２の電圧とを、互いに異なる領域にて同時に印加するとともに、表示電極と透明電極とのうち他方の電極に、第１の電圧と第２の電圧との間の第３の電圧を印加するという簡易な構成で階調表示することができる。
【図面の簡単な説明】
【００１９】
【図１】本発明に用いられる情報表示媒体の第１の実施の形態を示す図であり、（ａ）は表面図、（ｂ）は（ａ）に示したＡ−Ａ’断面図、（ｃ）は情報表示層の構成を示す断面図である。
【図２】図１に示した情報表示媒体を用いて実現された本発明の情報表示媒体を示す図であり、（ａ）は情報表示層の状態を示す断面図、（ｂ）は表面図である。
【図３】本発明に用いられる情報表示媒体の第２の実施の形態を示す図であり、（ａ）は表面図、（ｂ）は（ａ）に示したＡ−Ａ’断面図である。
【図４】図３に示した情報表示媒体を用いて実現された本発明の情報表示媒体を示す図であり、（ａ）は情報表示層の表示電極に対向する領域における状態を示す断面図、（ｂ）は表面図である。
【図５】一般的な情報表示媒体の一例を示す図であり、（ａ）は表面図、（ｂ）は（ａ）に示したＡ−Ａ’断面図、（ｃ）は情報表示層の構成を示す断面図である。
【発明を実施するための形態】
【００２０】
以下に、本発明の実施の形態について図面を参照して説明する。
【００２１】
（第１の実施の形態）
図１は、本発明に用いられる情報表示媒体の第１の実施の形態を示す図であり、（ａ）は表面図、（ｂ）は（ａ）に示したＡ−Ａ’断面図、（ｃ）は情報表示層２３の構成を示す断面図である。
【００２２】
本形態における情報表示媒体は図１に示すように、ベース基材１０上に情報表示部２０が積層されて構成されている。
【００２３】
ベース基材１０は、例えば、ＰＥＴ（ポリエチレンテレフタレート）フィルムやＰＥＮ（ポリエチレンナフタレート）フィルム等の絶縁性材料からなり、その一方の面の一部に、銀等を主成分とする導電性ペーストを用いた印刷によって表示電極１１が形成されている。また、表示電極１１には、表示電極１１に電気信号を伝達することで電圧を印加するための配線（不図示）が接続されている。
【００２４】
情報表示部２０は、ベース基材１０の表示電極１１が形成された面上に、表示電極１１に重なるように積層され、接着剤４０によってベース基材１０に接着されている。情報表示部２０は、情報表示層２３、透明電極２２及び透明基材２１がこの順で積層され、情報表示層２３側がベース基材１０との接着面となってベース基材１０に接着されており、その一例として、電子ペーパーが挙げられる。これにより、ベース基材１０の表示電極１１が形成された面に透明電極２２が対向して配置され、ベース基材１０と透明電極２２との間に情報表示層２３が配置された構成となっている。
【００２５】
情報表示層２３は、図１（ｃ）に示すように、隔壁２３ｄで囲まれた領域に、マイナス電位に帯電し、黒色からなる帯電性粒子２３ａと、プラス電位に帯電し、白色からなる帯電性粒子２３ｂとが分散した隔壁内液体２３ｃが収容されて構成されている。
【００２６】
上記のように構成された情報表示媒体１においては、透明電極２２及び表示電極１１に接続されたコントローラー（不図示）により、透明電極２２に所定の電圧が印加された状態で、表示する色に応じて表示電極１１に２種類の電圧が選択的に印加されることによって、情報表示層２３に透明電極２２と表示電極１１との間の電位差による電位が付与される。すると、帯電性粒子２３ａ，２３ｂが、付与された電位に応じて、透明電極２２側あるいは表示電極１１側に隔壁内液体２３ｃ内を移動し、帯電性粒子２３ａが黒色からなり、帯電性粒子２３ｂが白色からなるものであることから、帯電性粒子２３ａが透明電極２２側に移動した場合は、透明基材２１側から黒色が視認され、帯電性粒子２３ｂが透明電極２２側に移動した場合は、透明基材２１側から白色が視認されることになる。
【００２７】
例えば、透明電極２２がＧＮＤ電位とされた状態で表示電極１１にマイナスの電位が印加されると、帯電性粒子２３ａがマイナス電位に帯電していることから透明電極２２側に移動するとともに、帯電性粒子２３ｂがプラス電位に帯電していることから表示電極１１側に移動し、透明基材２１側から帯電性粒子２３ａによる黒色が視認されることになり、また、透明電極２２がＧＮＤ電位とされた状態で表示電極１１にプラスの電位が印加されると、帯電性粒子２３ｂがプラス電位に帯電していることから透明電極２２側に移動するとともに、帯電性粒子２３ａがマイナス電位に帯電していることから表示電極１１側に移動し、透明基材２１側から帯電性粒子２３ｂによる白色が視認されることになる。
【００２８】
以下に、上述した情報表示媒体１を用いた本発明の実現方法について説明する。
【００２９】
図２は、図１に示した情報表示媒体１を用いて実現された本発明の情報表示媒体を示す図であり、（ａ）は情報表示層２３の状態を示す断面図、（ｂ）は表面図である。なお、図２（ａ）は、ベース基材１０及び透明基材２１の図示を省略するとともに、情報表示層２３の状態がわかりやすいように厚さ方向を拡大して示している。
【００３０】
図１に示した情報表示媒体１において、透明電極２２及び表示電極１１に接続されたコントローラー（不図示）により、表示電極１１を第３の電圧となる０ＶのＧＮＤ電位とした状態で、透明電極２２の図１中左側端辺（図２（ａ）中Ａ部）に第１の電圧となる＋１５Ｖを印加すると同時に、透明電極２２の図１中右側端辺（図２（ａ）中Ｂ部）に第２の電圧となる−１５Ｖを印加すると、図２（ａ）に示すように、情報表示層２３の、透明電極２２に＋１５Ｖが印加された領域に対向する部分では、帯電性粒子２３ａがマイナス電位に帯電していることから透明電極２２側に移動するとともに、帯電性粒子２３ｂがプラス電位に帯電していることから表示電極１１側に移動する。また、透明電極２２に−１５Ｖが印加された領域に対向する部分では、帯電性粒子２３ｂがプラス電位に帯電していることから透明電極２２側に移動するとともに、帯電性粒子２３ａがマイナス電位に帯電していることから表示電極１１側に移動する。また、透明電極２２は、一般にその抵抗値が高い材料から構成されていることから、＋１５Ｖが印加された領域から−１５Ｖが印加された領域までの間において、その電圧が＋１５Ｖから−１５Ｖまで連続的に変化することになる。そのため、情報表示層２３においては、図２（ａ）中Ａ部に近づくに連れて、透明電極２２側に移動している帯電性粒子２３ａの数が多くなるとともに、表示電極１１側に移動している帯電性粒子２３ｂの数が多くなり、また、図２（ａ）中Ｂ部に近づくに連れて、透明電極２２側に移動している帯電性粒子２３ｂの数が多くなるとともに、表示電極１１側に移動している帯電性粒子２３ａの数が多くなる。また、図２（ａ）中Ａ部とＢ部とのちょうど中間の領域においては、透明電極２２の電圧が、＋１５Ｖと−１５Ｖとの中間の０Ｖとなるため、ＧＮＤ電位とされた表示電極１１との間にて電位差が生じず、そのため、帯電性粒子２３ａ，２３ｂはいずれもほとんど移動することがない。
【００３１】
このように、情報表示層２３において、帯電性粒子２３ａ，２３ｂの透明電極２２側と表示電極１１側への移動が、透明電極２２に＋１５Ｖが印加された領域に対向する部分から、透明電極２２に−１５Ｖが印加された領域に対向する部分までの間にて、帯電性粒子２３ａと帯電性粒子２３ｂとで、互いに反対方向となるように徐々に変化する。そのため、透明基材２１側から視認した場合、図２（ｂ）に示すように、透明電極２２の図１（ａ）中左側端辺に近づくに連れて、透明電極２２側に移動した帯電性粒子２３ａの黒色の要素が強い色となり、また、透明電極２２の図１（ａ）中右側端辺に近づくに連れて、透明電極２２側に移動した帯電性粒子２３ｂの白色の要素が強い色となり、この色の変化によって、黒色から白色への階調表示が可能となる。すなわち、透明電極２２及び表示電極１１に接続されたコントローラー（不図示）により、表示電極１１をＧＮＤ電位とした状態で、透明電極２２の一方の端辺に＋１５Ｖを印加するとともに、透明電極２２の他方の端辺に−１５Ｖを印加するという簡易な構成で、階調表示が可能となる。
【００３２】
なお、本形態においては、表示電極１１をＧＮＤ電位とした状態で、透明電極２２の一方の端辺に＋１５Ｖを印加するとともに、透明電極２２の他方の端辺に−１５Ｖを印加しているが、透明電極２２をＧＮＤ電位とした状態で、表示電極１１のいずれか一方の端辺に＋１５Ｖを印加するとともに、表示電極１１のそれとは反対の端辺に−１５Ｖを印加しても、上記同様の作用が生じ、階調表示が可能となる。その場合、透明電極２２は一般にその抵抗値が高いものであることから、＋１５Ｖが印加された領域から−１５Ｖが印加された領域までの間において、その電圧が＋１５Ｖから−１５Ｖまで連続的に変化することになるが、表示電極１１においても、一方の端辺から他方の端辺まで電圧を連続的に変化させるためには、その抵抗値が低すぎると、表示電極１１の電圧が均一となってしまい、階調表示がされにくくなるため、抵抗値を高くする必要がある。具体的には、表示電極１１が、０．３〜１．２［Ω・ｃｍ］程度の抵抗値を有するものである必要があり、１．０〜１．２［Ω・ｃｍ］の抵抗値であることが好ましい。
【００３３】
（第２の実施の形態）
図３は、本発明に用いられる情報表示媒体の第２の実施の形態を示す図であり、（ａ）は表面図、（ｂ）は（ａ）に示したＡ−Ａ’断面図である。
【００３４】
本形態における情報表示媒体は図３に示すように、図１に示したものに対して、ベース基材１０上に３つの表示電極１１１ａ〜１１１ｃが形成されている点が異なるものである。
【００３５】
以下に、上述した情報表示媒体１０１を用いた本発明の実現方法について説明する。
【００３６】
図４は、図３に示した情報表示媒体１０１を用いて実現された本発明の情報表示媒体を示す図であり、（ａ）は情報表示層２３の表示電極１１１ａに対向する領域における状態を示す断面図、（ｂ）は表面図である。なお、図４（ａ）は、ベース基材１０及び透明基材２１の図示を省略するとともに、情報表示層２３の状態がわかりやすいように厚さ方向を拡大して示している。
【００３７】
図３に示した情報表示媒体１０１において、透明電極２２及び表示電極１１１ａに接続されたコントローラー（不図示）により、透明電極２２を第３の電圧となる０ＶのＧＮＤ電位とした状態で、表示電極１１１ａの図３中左側端辺（図４（ａ）中Ａ部）に第１の電圧となる−１５Ｖを印加すると同時に、表示電極１１１ａの図３中右側端辺（図４（ａ）中Ｂ部）に第２の電圧となる＋１５Ｖを印加すると、図４（ａ）に示すように、情報表示層２３の、表示電極１１１ａに−１５Ｖが印加された領域に対向する部分では、帯電性粒子２３ａがマイナス電位に帯電していることから透明電極２２側に移動するとともに、帯電性粒子２３ｂがプラス電位に帯電していることから表示電極１１１ａ側に移動する。また、表示電極１１１ａに＋１５Ｖが印加された領域に対向する部分では、帯電性粒子２３ｂがプラス電位に帯電していることから透明電極２２側に移動するとともに、帯電性粒子２３ａがマイナス電位に帯電していることから表示電極１１１ａ側に移動する。また、表示電極１１１ａを、その抵抗値が、０．３〜１．２［Ω・ｃｍ］程度のものとすることにより、−１５Ｖが印加された領域から＋１５Ｖが印加された領域までの間において、その電圧が−１５Ｖから＋１５Ｖまで連続的に変化することになる。そのため、情報表示層２３においては、図４（ａ）中Ａ部に近づくに連れて、透明電極２２側に移動している帯電性粒子２３ａの数が多くなるとともに、表示電極１１１ａ側に移動している帯電性粒子２３ｂの数が多くなり、また、図４（ａ）中Ｂ部に近づくに連れて、透明電極２２側に移動している帯電性粒子２３ｂの数が多くなるとともに、表示電極１１１ａ側に移動している帯電性粒子２３ａの数が多くなる。また、図４（ａ）中Ａ部とＢ部とのちょうど中間の領域においては、表示電極１１１ａの電圧が、−１５Ｖと＋１５Ｖとの中間の０Ｖとなるため、ＧＮＤ電位とされた透明電極２２との間にて電位差が生じず、そのため、帯電性粒子２３ａ，２３ｂはいずれもほとんど移動することがない。
【００３８】
このように、情報表示層２３において、帯電性粒子２３ａ，２３ｂの透明電極２２側と表示電極１１１ａ側への移動が、表示電極１１１ａに＋１５Ｖが印加された領域に対向する部分から、表示電極１１１ａに−１５Ｖが印加された領域に対向する部分までの間にて、帯電性粒子２３ａと帯電性粒子２３ｂとで、互いに反対方向となるように徐々に変化する。そのため、透明基材２１側から視認した場合、表示電極１１１ａに対向する領域においては、図４（ｂ）に示すように、表示電極１１１ａの図３（ａ）中左側端辺に近づくに連れて、透明電極２２側に移動した帯電性粒子２３ａの黒色の要素が強い色となり、また、表示電極１１１ａの図３（ａ）中右側端辺に近づくに連れて、透明電極２２側に移動した帯電性粒子２３ｂの白色の要素が強い色となり、この色の変化によって、黒色から白色への階調表示が可能となる。すなわち、透明電極２２及び表示電極１１１ａに接続されたコントローラー（不図示）により、透明電極２２をＧＮＤ電位とした状態で、表示電極１１１ａの一方の端辺に−１５Ｖを印加するとともに、表示電極１１１ａの他方の端辺に＋１５Ｖを印加するという簡易な構成で、階調表示が可能となる。
【００３９】
また、ベース基材１０に形成された他の表示電極１１１ｂ，１１１ｃに対向する領域においても、表示電極１１１ｂ，１１１ｃに対して表示電極１１１ａと同じように電圧を印加することで、図４（ｂ）に示すように、黒色から白色に変化する階調表示が可能となる。
【００４０】
なお、上述した実施の形態においては、情報表示層２３として、隔壁３３ｃで囲まれた領域に、マイナス電位に帯電し、黒色からなる帯電性粒子２３ａと、プラス電位に帯電し、白色からなる帯電性粒子２３ｂとが分散した隔壁内液体２３ｃが収容されて構成されたものを例に挙げて説明したが、染料や顔料で着色された隔壁内液体に、高屈折率の光散乱成分を含む帯電性粒子が分散したものであっても、帯電性粒子が透明電極側に移動した領域と表示電極側に移動した領域とで、視認される色が異なるものとなるため、上記同様に階調表示を実現することができる。また、帯電性粒子や隔壁内液体の色は、白色や黒色等に限らず、３種以上の色が含まれていてもよい。
【００４１】
また、上述した実施の形態においては、透明電極と表示電極とのうち一方の電極に−１５Ｖと＋１５Ｖを印加し、他方の電極をその中間値となるＧＮＤ電位としているが、一方の電極に印加する２つの電圧は、他方の電極に印加する電圧がその２つの電圧の間となるものであれば、他方の電極に印加する電圧が一方の電極に印加する２つの電圧の中央値でなくてもよい。例えば、他方の電極をＧＮＤ電位とした状態で、一方の電極に−５Ｖと＋１５Ｖとを印加すれば、上述した実施の形態にて示したものに対して、階調表示の分岐領域を変えることができる。また、表示電極や透明電極に互いに異なる電圧を印加する領域は、互いに対向する２つの端辺に限らず、２つの角部や互いに隣接する２つの端辺等であってもよい。
【符号の説明】
【００４２】
１，１０１    情報表示媒体
１０    ベース基材
１１，１１１ａ〜１１１ｃ    表示電極
２０    情報表示部
２１    透明基材
２２    透明電極
２３    情報表示層
２３ａ，２３ｂ    帯電性粒子
２３ｃ    隔壁内液体
２３ｄ    隔壁
４０    接着剤
【図１】
2018163220.tif 000003
【図２】
2018163220.tif 000004
【図３】
2018163220.tif 000005
【図４】
2018163220.tif 000006
【図５】
2018163220.tif 000007